(57)【要約】  集中管理装置は、複数の分割フロアを有する全体フロア内の空調機器の座標を示す全体マップを作成する全体マップ作成手段と、全体マップ及び全体マップ上の複数の領域を示す第１の領域指定テーブルを記憶するデータベースと、第１の領域指定テーブルと領域上の空調機器の座標を示す第１の空調機器データテーブルとを作成する第１のテーブル処理手段と、を有し、集中コントローラは、集中管理装置側で作成された第１の領域指定テーブル及び第１の空調機器データテーブルに基づいて、領域上の空調機器の座標を、分割フロアの空調機器の座標に変換する第２のテーブル処理手段と、第２のテーブル処理手段の出力に基づいて、分割フロアの空調機器の座標を示すフロアマップを作成するフロアマップ作成手段とを有するものである。
2015145653.tif 000002
【特許請求の範囲】
【請求項１】
複数の分割フロアにそれぞれ設置された空調機器を制御する集中コントローラと、
前記集中コントローラを管理する集中管理装置とを有し、
前記集中管理装置は、
複数の前記分割フロアを有する全体フロア内の前記空調機器の座標を示す全体マップを作成する全体マップ作成手段と、
前記全体マップ及び前記全体マップ上の複数の領域を示す前記第１の領域指定テーブルを記憶するデータベースと、
前記第１の領域指定テーブルと前記領域上の前記空調機器の座標を示す第１の空調機器データテーブルとを作成する第１のテーブル処理手段と、
を有し、
前記集中コントローラは、
前記集中管理装置側で作成された前記第１の領域指定テーブル及び前記第１の空調機器データテーブルに基づいて、前記領域上の前記空調機器の座標を、前記分割フロアの空調機器の座標に変換する第２のテーブル処理手段と、
前記第２のテーブル処理手段の出力に基づいて、前記分割フロアの前記空調機器の座標を示すフロアマップを作成するフロアマップ作成手段とを有する
空気調和システム。
【請求項２】
前記第２のテーブル処理手段は、
前記第１の領域指定テーブルから前記領域ごとに基準座標を決定し、
前記第１の空調機器データテーブルの前記領域上の前記空調機器の座標から前記基準座標を減算した変換座標を示す第１の座標変換テーブルを作成する
請求項１に記載の空気調和システム。
【請求項３】
複数の分割フロアにそれぞれ設置された空調機器を制御する集中コントローラと、
前記集中コントローラを管理する集中管理装置とを有し、
前記集中コントローラは、
前記分割フロアの前記空調機器の座標を示すフロアマップを作成するフロアマップ作成手段と、
前記フロアマップを記憶する記憶部と、
前記フロアマップ上の前記空調機器の座標を示す第２の空調機器データテーブルとを作成する第２のテーブル処理手段と、
を有し、
前記集中管理装置は、
前記フロアマップ上の複数の領域を示す第２の領域指定テーブルと複数の前記領域の座標のうち接触する座標を示す接触座標データテーブルとを作成する第１のテーブル処理手段と、
前記第１のテーブル処理手段の出力に基づいて、前記全体フロアの前記空調機器の座標を示す全体マップを作成する全体マップ作成手段とを有し、
前記第１のテーブル処理手段は、
前記第２の領域指定テーブル、前記第２の空調機器データテーブル及び前記接触座標データテーブルに基づいて、複数の前記領域上の前記空調機器の座標を結合し、複数の前記分割フロアを有する全体フロアの前記空調機器の座標に変換する
空気調和システム。
【請求項４】
前記第１のテーブル処理手段は、
前記第２の座標変換テーブルから前記領域ごとの基準座標及び複数の前記領域の原点座標を決定し、
前記第２の空調機器データテーブルの前記領域上の前記空調機器の座標に、前記基準座標を加算するとともに前記原点座標を減算した変換座標を示す第２の座標変換テーブルを作成する
請求項３に記載の空気調和システム。
【請求項５】
前記全体マップ作成手段は、
前記全体マップの座標上に前記空調機器の座標を示すアイコンを配置する
請求項２又は４に記載の空気調和システム。
【発明の詳細な説明】
【技術分野】
【０００１】
本発明は、空気調和システムに関するものである。
【背景技術】
【０００２】
従来から、ビルなどに搭載された空気調和装置の室内機などの複数の設備機器を制御する集中コントローラと、複数の集中コントローラを統括制御する集中管理装置とを有する管理システムが提案されている（たとえば、特許文献１〜３参照）。【０００３】
特許文献１〜３に記載の技術では、集中コントローラの表示部に、設備機器が設置されるフロア平面図を表示し、その平面図の座標上に設備機器を配置する。たとえば、特定の設備機器を制御する場合には、その特定の設備機器に対応するアイコンを指定し、運転、停止などの命令を実行する。これにより、集中コントローラを利用して、設備機器ごとの制御が実現できるようになっている。【０００４】
また、集中管理装置は、たとえば、ビルの管理人室などに設置され、複数の集中コントローラを統括して監視及び制御することができるようになっている。すなわち、集中コントローラと集中管理装置とは、データ送信可能（無線も含む）に接続され、両者間で通信することにより、どちらでも設備機器を制御することができるようになっている。
【先行技術文献】
【特許文献】
【０００５】
【特許文献１】特開平６−１０３２００号公報
【特許文献２】特開平８−２２７４９１号公報
【特許文献３】特開２００３−３１７１６６号公報
【発明の概要】
【発明が解決しようとする課題】
【０００６】
ここで、集中コントローラは設備機器が設置される座標などのデータを有するフロアマップを備えている。また、各集中コントローラは異なるフロアに設置される。このため、集中管理装置については、各フロアにおける設備機器が設置される座標などのデータを有する全体マップを備えている。【０００７】
特許文献１〜３に記載の技術では、集中コントローラの有するフロアマップ上の設備機器（アイコン）と、集中管理装置の有する全体マップ上の設備機器（アイコン）とは、座標データ（位置データ）についての整合性を有していない。このため、特許文献１〜３に記載の技術では、集中コントローラ側でフロアマップを作成して設備機器の位置を指定するとともに、集中管理装置側でも全体マップを作成して設備機器の位置を指定し、その後、両者の設備機器の対応づけを行っている。
すなわち、特許文献１〜３に記載の技術では、集中コントローラ及び集中管理装置の両方で設備機器の位置の指定をする必要があり、その分、利便性が損なわれているという課題がある。【０００８】
本発明は、上記のような課題を解決するためになされたものであり、利便性を向上させることができる空気調和システムを提供することを目的としている。
【課題を解決するための手段】
【０００９】
本発明に係る空気調和システムは、複数の分割フロアにそれぞれ設置された空調機器を制御する集中コントローラと、集中コントローラを管理する集中管理装置とを有し、集中管理装置は、複数の分割フロアを有する全体フロア内の空調機器の座標を示す全体マップを作成する全体マップ作成手段と、全体マップ及び全体マップ上の複数の領域を示す第１の領域指定テーブルを記憶するデータベースと、第１の領域指定テーブルと領域上の空調機器の座標を示す第１の空調機器データテーブルとを作成する第１のテーブル処理手段と、を有し、集中コントローラは、集中管理装置側で作成された第１の領域指定テーブル及び第１の空調機器データテーブルに基づいて、領域上の空調機器の座標を、分割フロアの空調機器の座標に変換する第２のテーブル処理手段と、第２のテーブル処理手段の出力に基づいて、分割フロアの空調機器の座標を示すフロアマップを作成するフロアマップ作成手段とを有するものである。
【発明の効果】
【００１０】
本発明に係る空気調和システムによれば、上記構成を有しているため、利便性を向上させることができる。
【図面の簡単な説明】
【００１１】
【図１Ａ】本発明の実施の形態１に係る空気調和システムが設置されている建物の模式図である。
【図１Ｂ】本発明の実施の形態１に係る空気調和システムの概要構成の一例である。
【図２】図１に示す空気調和システムの冷媒回路構成などの説明図である。
【図３】本発明の実施の形態１に係る空気調和システムのデータ構造などの説明図である。
【図４】本発明の実施の形態１に係る空気調和システムの集中管理装置及び集中コントローラのブロック図である。
【図５】本発明の実施の形態１に係る空気調和システムの集中管理装置における全体マップ及び全体マップ上のアイコンの説明図である。
【図６】本発明の実施の形態１に係る空気調和システムの集中管理装置でフロア範囲を設定することを説明するテーブルである。
【図７】本発明の実施の形態１に係る空気調和システムの集中管理装置における空調機器のアイコンの座標などを示すテーブルである。
【図８】本発明の実施の形態１に係る空気調和システムの各集中コントローラが実施する演算を説明するテーブルである。
【図９】本発明の実施の形態１に係る空気調和システムの制御フローチャートである。
【図１０Ａ】本発明の実施の形態２に係る空気調和システムの集中コントローラ（ＮＯ．１）におけるフロアマップ及びフロアマップ上のアイコンの説明図である。
【図１０Ｂ】本発明の実施の形態２に係る空気調和システムの集中コントローラ（ＮＯ．２）におけるフロアマップ及びフロアマップ上のアイコンの説明図である。
【図１１Ａ】本発明の実施の形態２に係る空気調和システムの集中コントローラ（ＮＯ．１）におけるフロア範囲を設定するときのテーブルである。
【図１１Ｂ】本発明の実施の形態２に係る空気調和システムの集中コントローラ（ＮＯ．２）におけるフロア範囲を設定するときのテーブルである。
【図１２Ａ】本発明の実施の形態２に係る空気調和システムの集中コントローラ（ＮＯ．１）における空調機器のアイコンの座標などを示すテーブルである。
【図１２Ｂ】本発明の実施の形態２に係る空気調和システムの集中コントローラ（ＮＯ．２）における空調機器のアイコンの座標などを示すテーブルである。
【図１３】本発明の実施の形態２に係る空気調和システムが有する一致する座標を示すテーブルである。
【図１４】本発明の実施の形態２に係る空気調和システムの集中管理装置が実施する演算を説明するテーブルである。
【図１５】本発明の実施の形態２に係る空気調和システムの制御フローチャートである。
【発明を実施するための形態】
【００１２】
以下、本発明の実施の形態を説明する。
実施の形態１．
図１Ａは、本実施の形態１に係る空気調和システム１が設置されている建物ＢＬの模式図である。図１Ｂは、本実施の形態１に係る空気調和システム１の概要構成の一例である。図１Ａ及び図１Ｂを参照して空気調和システム１が、１つのビルに設置されている場合における構成の一例について説明する。
本実施の形態１に係る空気調和システム１は、利便性を向上させる改良が加えられているものである。
【００１３】
［空気調和システム１の全体構成例］
空気調和システム１は、たとえばビルなどの建物ＢＬに設置されるものである。ここで、建物ＢＬの一階は、管理人室ＭＲ、フロアＦＬ１及びフロアＦＬ２、及び、フロアＦＬ３及びフロアＦＬ４などが設けられている。なお、フロアＦＬ１、フロアＦＬ２、フロアＦＬ３及びフロアＦＬ４のそれぞれが、分割フロアである。そして、フロアＦＬ１、フロアＦＬ２、フロアＦＬ３及びフロアＦＬ４を合わせたものが、全体フロアである。
建物ＢＬは、たとえば１階から４階までの階層を有し、室外機１００Ａなどが設置される屋上を有している。なお、本実施の形態１では、１階及び屋上の構成について中心に説明をするが、２階から４階についても空気調和システム１の空調機器などが設置されていてもよい。
【００１４】
空気調和システム１は、たとえば空調機器７Ａ〜７Ｘを有しているものである。以下の説明では、空調機器７Ａ〜７Ｘを総称して、空調機器７とも称する。本実施の形態１では、空調機器７Ａ〜７Ｘが空気調和装置の室内機及び換気装置のいずれかである場合を一例として説明する。ここで、空気調和装置の室内機は、たとえば暖房運転及び冷房運転を実施するなどを実施することができるものでる。
また、換気装置は、塵埃などを捕集するフィルターを有し、たとえば建物ＢＬ外と、建物ＢＬ内とを連通するダクトに接続されているものである。換気装置は、たとえば、建物ＢＬ内の空気を建物ＢＬ外に排出することができるとともに、建物ＢＬ外の新鮮な空気を建物ＢＬ内に供給することができるものである。
【００１５】
なお、本実施の形態１では、空調機器７Ａ、空調機器７Ｃ、空調機器７Ｅ、空調機器７Ｇ、空調機器７Ｉ、空調機器７Ｋ、空調機器７Ｍ、空調機器７Ｏ、空調機器７Ｑ、空調機器７Ｓ、空調機器７Ｕ及び空調機器７Ｗが空気調和装置の室内機である。また、空調機器７Ｂ、空調機器７Ｄ、空調機器７Ｆ、空調機器７Ｈ、空調機器７Ｊ、空調機器７Ｌ、空調機器７Ｎ、空調機器７Ｐ、空調機器７Ｒ、空調機器７Ｔ、空調機器７Ｖ及び空調機器７Ｘが換気装置である。
【００１６】
空気調和システム１は、空気調和装置の室内機である空調機器７Ａなどに冷媒配管Ｐを介して接続された室外機１００Ａと、同様に空気調和装置の室内機である空調機器７Ｍなどに冷媒配管Ｐを介して接続された室外機１００Ｂとを有している。室外機１００Ａ及び室外機１００Ｂは、たとえば建物ＢＬの屋上などに設置される。
【００１７】
空気調和システム１は、空調機器７Ａ〜７Ｌを制御する集中コントローラ２ａと、空調機器７Ｍ〜７Ｘを制御する集中コントローラ２ｂと、集中コントローラ２ａ及び集中コントローラ２ｂを統括制御する集中管理装置３とを有している。なお、以下の説明では、集中コントローラ２ａ及び集中コントローラ２ｂを総称して、集中コントローラ２とも称する。たとえば、集中コントローラ２ａは、建物ＢＬの１階のフロアＦＬ２に設置され、集中コントローラ２ｂは、建物ＢＬの１階のフロアＦＬ４に設置される。また、集中管理装置３については、たとえば建物ＢＬの１階の管理人室ＭＲに設置される。集中管理装置３と、集中コントローラ２ａ及び集中コントローラ２ｂとは、配線などを介して通信できるように接続されている。なお、集中管理装置３と、集中コントローラ２ａ及び集中コントローラ２ｂとの接続は、配線（有線）に限定されるものではなく、無線であってもよい。
【００１８】
［空気調和システム１の冷媒回路構成例など］
図２は、図１Ｂに示す空気調和システム１の冷媒回路構成などの説明図である。図２を参照して、室外機１００Ａ及び空調機器７Ａなどが冷媒配管Ｐで接続されて構成された冷媒回路Ｃの構成などについて説明する。なお、室外機１００Ｂ及び空調機器７Ｍなども冷媒配管Ｐで接続されて構成された冷媒回路を有しているが、室外機１００Ａ及び空調機器７Ａなどによって構成される冷媒回路Ｃと同様なので説明は省略する。
【００１９】
室外機１００Ａ及び室外機１００Ｂは、圧縮機５０、冷媒流路を切り替える四方弁５９、及び放熱器などとして機能する熱源側熱交換器５３などが搭載されているものである。また、室外機１００Ａ及び室外機１００Ｂに搭載された熱源側熱交換器５３が空冷式である場合には、熱源側熱交換器５３に空気を供給し、この供給した空気と熱源側熱交換器５３を流れる高温高圧冷媒との熱交換を促進させる送風機５３Ａが熱源側熱交換器５３に付設されている。
【００２０】
圧縮機５０は、冷媒を吸入し、その冷媒を圧縮して高温高圧の状態にして吐出するものである。圧縮機５０は、冷媒吐出側が利用側熱交換器５１に接続され、冷媒吸入側が熱源側熱交換器５３に接続されている。なお、圧縮機５０は、たとえばインバーター圧縮機などで構成することができる。四方弁５９は、たとえば暖房運転時と冷房運転時とで冷媒流路を切り替えるのに利用されるものである。四方弁５９は、暖房運転時には、圧縮機５０の吐出側と利用側熱交換器５１とを接続するとともに、熱源側熱交換器５３と圧縮機５０の吸入側とを接続するように切り替えられるものである。また、四方弁５９は、冷房運転時には、圧縮機５０の吐出側と熱源側熱交換器５３とを接続するとともに、利用側熱交換器５１と圧縮機５０の吸入側とを接続するように切り替えられるものである。
【００２１】
熱源側熱交換器５３は、暖房運転時には絞り装置５２から流出した冷媒と、空気などの媒体との間で熱交換を行わせるものである。また、熱源側熱交換器５３は、冷房運転時には圧縮機５０から吐出された高温高圧の冷媒と、空気などの媒体との間で熱交換を行わせるものである。熱源側熱交換器５３は、一方が四方弁５９に接続され、他方が絞り装置５２に接続されている。なお、熱源側熱交換器５３は、空冷式である場合は、たとえば、熱源側熱交換器５３を流れる冷媒とフィンを通過する空気との間で熱交換ができるようなプレートフィンアンドチューブ型熱交換器で構成することができる。送風機５１Ａは、電動機、及び電動機に回転軸を介して接続されたファンなどで構成されるものである。なお、送風機５１Ａは、集中コントローラ２ａなどによって回転数の制御がなされる。
【００２２】
（集中コントローラ２）
集中コントローラ２は、たとえばボタン、タッチパネルなどで構成される第２の情報入力手段２Ａ（図７参照）などを有し、この第２の情報入力手段２Ａを介してユーザーから設定温度などの温度データ、風向板などの角度に関する風向データ、設定風量の風量データを受け付ける。また、集中コントローラ２は、集中管理装置３に接続され、集中管理装置３からの指令も受け付ける。集中コントローラ２は、第２の情報入力手段２Ａより受け付けたデータ、集中管理装置３からの指令などに基づいて、圧縮機５０の回転数（運転及び停止含む）、熱源側熱交換器５３に付設された送風機５３Ａ及び利用側熱交換器５１に付設された送風機５１Ａの回転数（運転及び停止含む）、絞り装置５２の開度、四方弁５９の流路の切り替えなどを制御する。なお、この集中コントローラ２ａは、たとえばマイコンといった制御装置などで構成することができる。
【００２３】
集中コントローラ２は集中管理装置３により管理されているため、集中管理装置３側でも、上述した圧縮機５０の回転数（運転及び停止含む）などの制御を実施することが可能である。
【００２４】
（空調機器７Ａなど）
冷媒回路Ｃは、空調機器７Ａのほかに空調機器７Ｃなどを有しているが、ここでは代表して空調機器７Ａについて説明する。空調機器７Ａは、絞り装置５２と、利用側熱交換器５１と、利用側熱交換器５１とドレンパン５５とを有しているものである。また、筐体５８には、利用側熱交換器５１に空気を供給し、当該供給した空気と利用側熱交換器５１を流れる冷媒とを熱交換させて、たとえば空調対象空間に供給する送風機５１Ａが搭載される。筐体５８は、筐体５８内に空気を取り込むのに利用される吸込口５１Ａ１と、筐体５８外に空気を放出するのに利用される吹出口５１Ａ２とを有している。
【００２５】
絞り装置５２は、冷媒を膨張させるためのものであり、一方が熱源側熱交換器５３に接続され、他方が利用側熱交換器５１に接続されている。なお、絞り装置５２は、たとえば開度が可変である電子膨張弁、キャピラリーチューブなどで構成することができる。利用側熱交換器５１は、冷房運転時には絞り装置５２から流出した冷媒と、空気などの媒体との間で熱交換を行わせるものである。また、利用側熱交換器５１は、暖房運転時には圧縮機５０から吐出された高温高圧の冷媒と、空気などの媒体との間で熱交換を行わせるものである。利用側熱交換器５１は、一方が四方弁５９に接続され、他方が絞り装置５２に接続されている。なお、利用側熱交換器５１は、たとえば、熱源側熱交換器５３を流れる冷媒とフィンを通過する空気との間で熱交換ができるようなプレートフィンアンドチューブ型熱交換器で構成することができる。
【００２６】
ドレンパン５５は、利用側熱交換器５１の下側に設置されているものであり、水を貯留するのに利用されるものである。ドレンパン５５は、図示省略の排水管に接続されており、ドレンパン５５に貯留されている水が配水管を介して排水されるようになっている。送風機５１Ａは、筐体５８内に空気を取り込み、この取り込んだ空気を筐体５８内から空調対象空間に供給するのに利用されるものである。送風機５１Ａは、電動機、及び電動機に回転軸を介して接続されたファンなどで構成されるものである。なお、送風機５１Ａは、集中コントローラ２ａなどによって回転数の制御がなされる。
【００２７】
［集中管理装置３及び集中コントローラ２について］
図３は、実施の形態１に係る空気調和システム１のデータ構造などの説明図である。図４は、本実施の形態１に係る空気調和システム１の集中管理装置３及び集中コントローラ２のブロック図である。図５は、本実施の形態１に係る空気調和システム１の集中管理装置３における全体マップＭ及び全体マップＭ上のアイコン７ａ〜７ｘの説明図である。図３〜図５を参照して集中管理装置３及び集中コントローラ２の構成について説明する。
【００２８】
（集中管理装置３）
集中管理装置３は、たとえばタッチパネル、ボタン、マウスなどに対応し、データを取得するのに利用される第１の情報入力手段３Ａと、全体マップＭを作成する全体マップ作成手段３Ｄと、第１の情報入力手段３Ａで取得したデータに基づいて各種演算を実施する第１のテーブル処理手段３Ｂと、集中コントローラ２ａ及び集中コントローラ２ｂと通信する第１の伝送手段３Ｃと、各種データが格納されるデータベース３Ｅと、全体マップ作成手段３Ｄにより作成された全体マップＭを表示する第１の表示手段３Ｆとを有している。なお、全体マップＭは、図３に示すように、各フロアマップＦＭと対応づけられている。
【００２９】
（第１の情報入力手段３Ａ）
第１の情報入力手段３Ａは、全体マップＭの全座標の範囲の設定、空調機器７の座標の設定、及び空調機器７の種類の設定などをするのに利用されるものである。また、第１の情報入力手段３Ａは、運転、停止する空調機器７の設定、及び、暖房運転を実施するか或いは冷房運転を実施するかといった設定などをすることに利用される。第１の情報入力手段３Ａのデータは、全体マップ作成手段３Ｄに出力される。
【００３０】
（全体マップ作成手段３Ｄ）
全体マップ作成手段３Ｄは、第１の情報入力手段３Ａから出力されるデータに基づいて全体マップを作成するものである。具体的には、全体マップ作成手段３Ｄは、図５に示すように、平面のマップである全体マップＭの座標を規定し、領域５ａ〜領域５ｄの範囲の設定をし、全体マップＭの座標上にアイコン７ａ〜７ｘの配置などをする。
【００３１】
なお、領域５ａ〜領域５ｄのデータが、各フロアＦＬ１〜フロアＦＬ４のフロアマップＦＭに変換される。また、アイコン７ａ〜７ｘは、空調機器７Ａ〜空調機器７Ｘに対応するものである。また、フロアＦＬ１〜フロアＦＬ４は物理的範囲を表しているが、領域５ａ〜領域５ｄはデータ上の座標範囲である。
【００３２】
全体マップ作成手段３Ｄは、作成した全体マップＭのデータを第１の表示手段３Ｆに出力する。また、全体マップ作成手段３Ｄは、空調機器７Ａ〜空調機器７Ｘの存在を示すアイコン７ａ〜７ｘだけでなく、空調機器７Ａ〜空調機器７Ｘの運転状態（運転、停止、暖房運転、冷房運転、異常発生の有無など）などを示すアイコンなどを作成することもできる。
【００３３】
（第１のテーブル処理手段３Ｂ）
第１のテーブル処理手段３Ｂは、全体マップ作成手段３Ｄの有するデータ及びデータベース３Ｅのデータなどに基づいて、第１の領域指定テーブルＴ１及び第１の空調機器データテーブルＴ２を作成するものである。なお、第１のテーブル処理手段３Ｂは、作成した第１の領域指定テーブルＴ１及び第１の空調機器データテーブルＴ２のデータをデータベース３Ｅに格納する。また、第１のテーブル処理手段３Ｂは、作成した第１の領域指定テーブルＴ１及び第１の空調機器データテーブルＴ２を全体マップ作成手段３Ｄに出力する。
【００３４】
ここで、既に第１の領域指定テーブルＴ１及び第１の空調機器データテーブルＴ２の作成が済んでいるときにおいて、たとえば第１の情報入力手段３Ａよりデータの更新をする入力がされた場合には、第１のテーブル処理手段３Ｂは、その更新データに基づいて第１の領域指定テーブルＴ１及び第１の空調機器データテーブルＴ２のデータの書き換えを実施する。たとえば、第１のテーブル処理手段３Ｂは、領域５ａの範囲を更新するデータを第１の情報入力手段３Ａから受け付けた場合には、最新の第１の領域指定テーブルＴ１のうちの領域５ａの範囲を書き換え、最新の第１の領域指定テーブルＴ１のうちの領域５ｂ〜領域５ｄの範囲については変更しない。
【００３５】
第１のテーブル処理手段３Ｂは、第１の伝送手段３Ｃに第１の領域指定テーブルＴ１及び第１の空調機器データテーブルＴ２のデータを出力するものである。そして、この出力されたデータは、後述する集中コントローラ２に送られる。なお、後述する集中コントローラ２側の第２の伝送手段２Ｃから集中管理装置３側に出力があった場合には、第１のテーブル処理手段３Ｂは、その集中コントローラ２からの出力を、第１の伝送手段３Ｃを介して受け取る。このように、集中管理装置３と集中コントローラ２とはデータのやり取りをすることで、情報を共有化することができる。特に、集中管理装置３の全体マップＭの座標（座標データ）と集中コントローラ２のフロアマップＦＭの座標（座標データ）とは、対応付けられているため、集中管理装置３及び集中コントローラ２のうちの一方の座標データを他方の座標データとして用いることができる。これにより、空気調和システム１では、集中管理装置３及び集中コントローラ２で個別に座標データを設定する必要がない分、利便性が向上したものとなっている。
【００３６】
（第１の伝送手段３Ｃ）
第１の伝送手段３Ｃは、第１のテーブル処理手段３Ｂから出力された第１の領域指定テーブルＴ１及び第１の空調機器データテーブルＴ２を集中コントローラ２に出力するものである。具体的には、第１の伝送手段３Ｃは、集中コントローラ２ａに、第１の領域指定テーブルＴ１のうちのテーブルＴ１ａ及び第１の空調機器データテーブルＴ２のうちのテーブルＴ２ａを出力する。また、第１の伝送手段３Ｃは、集中コントローラ２ｂに、第１の領域指定テーブルＴ１のうちのテーブルＴ１ｂ及び第１の空調機器データテーブルＴ２のうちのテーブルＴ２ｂを出力する。
また、第１の伝送手段３Ｃは、集中コントローラ２から出力されたデータを受け取る機能も有している。第１の伝送手段３Ｃは、後述する集中コントローラ２ａの第２の伝送手段２Ｃ及び集中コントローラ２ｂの第２の伝送手段２Ｃとデータ通信可能に接続されている。
【００３７】
（データベース３Ｅ）
データベース３Ｅは、第１のテーブル処理手段３Ｂ及び全体マップ作成手段３Ｄなどとデータのやり取りを行い、やり取りしたデータを格納することができるものである。データベース３Ｅは、たとえばパソコンのハードディスクなどで構成することができる。
【００３８】
（第１の表示手段３Ｆ）
第１の表示手段３Ｆは、全体マップ作成手段３Ｄが作成した全体マップＭを表示するものである。管理者は、第１の表示手段３Ｆに表示された全体マップＭを見ることで、フロアＦＬ１及びフロアＦＬ２の空調機器７の座標及び運転状態などと、フロアＦＬ２及びフロアＦＬ３の空調機器７の座標及び運転状態などとを知ることができる。
【００３９】
（集中コントローラ２）
集中コントローラ２は、集中管理装置３に対応する機能を備えた構成を有しているものである。すなわち、集中コントローラ２は、第１の情報入力手段３Ａに対応する第２の情報入力手段２Ａ、第１のテーブル処理手段３Ｂに対応する第２のテーブル処理手段２Ｂ、第１の伝送手段３Ｃに対応する第２の伝送手段２Ｃ、全体マップ作成手段３Ｄに対応するフロアマップ作成手段２Ｄ、データベース３Ｅに対応する記憶部２Ｅ、及び第１の表示手段３Ｆに対応する第１の表示手段３Ｆを有している。
【００４０】
（第２の情報入力手段２Ａ）
集中コントローラ２ａの第２の情報入力手段２Ａは、フロアマップＦＭの全座標の範囲の設定、空調機器７Ａ〜空調機器７Ｌの座標の設定、及び空調機器７Ａ〜空調機器７Ｌの種類の設定などを入力に利用されるものであり、たとえばタッチパネル、ボタンなどに対応するものである。また、集中コントローラ２ａの第２の情報入力手段２Ａは、運転する空調機器７Ａ〜空調機器７Ｌと停止する空調機器７Ａ〜空調機器７Ｌといった設定、及び、暖房運転を実施するか或いは冷房運転を実施するかといった設定などをするのに利用される。すなわち、集中コントローラ２ａは、第２の情報入力手段２Ａの入力に従い、空調機器７Ａなどを制御する。なお、集中コントローラ２ｂの第２の情報入力手段２Ａも、集中コントローラ２ａの第２の情報入力手段２Ａと対応する構成を有している。
【００４１】
（フロアマップ作成手段２Ｄ）
フロアマップ作成手段２Ｄは、第２の情報入力手段２Ａから出力されるデータに基づいてフロアマップＦＭを作成するものである。具体的には、フロアマップ作成手段２Ｄは、平面のマップであるフロアマップＦＭの座標を規定し、フロアマップＦＭの座標上におけるアイコンの設定などをする。
【００４２】
（第２のテーブル処理手段２Ｂ）
第２のテーブル処理手段２Ｂは、後述する第１の座標変換テーブルＴ３を作成したり、作成したテーブルのデータを記憶部２Ｅに格納するものである。また、第２のテーブル処理手段２Ｂは、作成したテーブルのデータを第２の伝送手段２Ｃに出力する。既にテーブルの作成が済んでいるときにおいて、たとえば第２の情報入力手段２Ａよりデータの更新をする入力がされた場合には、第２のテーブル処理手段２Ｂは、その更新データに基づいてテーブルのデータの書き換えを実施する。なお、集中コントローラ２ｂの第２のテーブル処理手段２Ｂも、集中コントローラ２ａの第２のテーブル処理手段２Ｂと対応する構成を有している。
【００４３】
（第２の伝送手段２Ｃ）
第２の伝送手段２Ｃは、第１の伝送手段３Ｃを介して出力された第１の領域指定テーブルＴ１及び第１の空調機器データテーブルＴ２のデータが出力されるものである。また、第２の伝送手段２Ｃは、集中管理装置３から出力されたデータを受け取る機能も有している。
【００４４】
（記憶部２Ｅ）
記憶部２Ｅは、第２のテーブル処理手段２Ｂ及びフロアマップ作成手段２Ｄなどとデータのやり取りを行い、やり取りしたデータを格納することができるものである。記憶部２Ｅは、たとえばハードディスクなどで構成してもよいし、フラッシュメモリなどで構成することもできる。
【００４５】
（第２の表示手段２Ｆ）
第２の表示手段２Ｆは、フロアマップ作成手段２Ｄが作成したフロアマップＦＭを表示するものである。集中コントローラ２ａの使用者、管理者などは、第２の表示手段２Ｆに表示されたフロアマップＦＭを見ることで、フロアＦＬ１及びフロアＦＬ２の空調機器７Ａ〜空調機器７Ｌの座標及び運転状態などを知ることができる。また、集中コントローラ２ｂの使用者、管理者なども、第２の表示手段２Ｆに表示されたフロアマップＦＭを見ることで、フロアＦＬ３及びフロアＦＬ４の空調機器７Ｍ〜空調機器７Ｘの座標及び運転状態などを知ることができる。
【００４６】
［テーブルの説明など］
図６は、実施の形態１に係る空気調和システム１の集中管理装置３でフロア範囲を設定することを説明するテーブルである。図７は、本実施の形態１に係る空気調和システム１の集中管理装置３における空調機器７のアイコン７ａ〜７ｘの座標などを示すテーブルである。
図６及び図７を参照して、集中管理装置３が作成するデータ（第１の領域指定テーブルＴ１及び第１の空調機器データテーブルＴ２）、及び集中管理装置３から集中コントローラ２へ出力されるデータなどについて説明する。
【００４７】
集中管理装置３の全体マップ作成手段３Ｄは、各フロアＦＬ１〜フロアＦＬ４の全体の座標を示す全体マップＭを有している。具体的には、全体マップＭは、管理者などに設定される座標範囲である領域５ａ〜領域５ｄを有している。なお、本実施の形態１では建物１階の全体マップＭについての説明をしているが、集中管理装置３は、２階〜４階ごとの全体マップＭを有している。すなわち、集中管理装置３は、４つの全体マップＭを有している。
【００４８】
集中管理装置３では、第１の情報入力手段３Ａを介して、フロアＦＬ１に対応する座標範囲である領域５ａと、フロアＦＬ２に対応する座標範囲である領域５ｂと、フロアＦＬ３に対応する座標範囲である領域５ｃと、フロアＦＬ４に対応する座標範囲である領域５ｄとを指定することができる。すなわち、集中管理装置３は、図６に示すように、領域５ａ〜領域５ｄが、Ｙ座標及びＸ座標のいずれの範囲に該当するかを示す第１の領域指定テーブルＴ１を有している。
【００４９】
第１のテーブル処理手段３Ｂは、領域５ａ〜領域５ｄの範囲がどこまでであるかに関するデータを全体マップ作成手段３Ｄから受け付けると、その受け付けたデータをもとに第１の領域指定テーブルＴ１を作成する。
【００５０】
第１のテーブル処理手段３Ｂは、領域５ａの範囲のデータと、領域５ｂの範囲のデータと、領域５ｃの範囲のデータと、領域５ｄの範囲のデータとを包含する第１の空調機器データテーブルＴ２を作成することができるものである。なお、図７では、領域５ｂ及び領域５ｄのデータについては省略している。
具体的には、第１の空調機器データテーブルＴ２は、図７に示すように、領域５ａ〜領域５ｄに対応する集中コントローラ２が集中コントローラ２ａであるか集中コントローラ２ｂであるかを示すデータ、領域５ａ〜領域５ｄに対応する空調機器７が空気調和装置の室内機であるか、換気装置であるかを示すデータ、及び、空調機器７のアイコン７ａ〜７ｘの種類のデータ、空調機器７の座標のデータなどから構成されている。図５及び図７に示すように、たとえば空調機器７Ａの座標のデータは、Ｙ座標がａ１であり、Ｘ座標がｂ１である。また、たとえば空調機器７Ｍの座標のデータは、Ｙ座標がａ３であり、Ｘ座標がｂ１である。これらのデータの入力についても、たとえば、管理者などが実施することができる。
【００５１】
図８は、本実施の形態１に係る空気調和システム１の各集中コントローラ２が実施する演算を説明するテーブルである。図８を参照して第１の座標変換テーブルＴ３について説明する。
集中コントローラ２の第２のテーブル処理手段２Ｂは、第２の伝送手段２Ｃから出力される集中管理装置３側のデータである第１の領域指定テーブルＴ１及び第１の空調機器データテーブルＴ２に基づいて、第１の座標変換テーブルＴ３を作成する。具体的には、集中コントローラ２ａの第２のテーブル処理手段２Ｂは第１の座標変換テーブルＴ３のうちのテーブルＴ３ａを作成し、集中コントローラ２ｂの第２のテーブル処理手段２Ｂは第１の座標変換テーブルＴ３のうちのテーブルＴ３ｂを作成する。
【００５２】
集中コントローラ２の第２のテーブル処理手段２Ｂは、第１の領域指定テーブルＴ１及び第１の空調機器データテーブルＴ２に基づいて、領域５ａ及び領域５ｂ上の空調機器７の座標を、分割フロア（フロアＦＬ１及びフロアＦＬ２）の空調機器７の座標に変換する。第１の座標変換テーブルＴ３は、第１の空調機器データテーブルＴ２のアイコン７ａ〜７ｌの座標から、第１の領域指定テーブルＴ１の基準座標を減算して算出される変換座標のデータである変換座標データＴ３１を有している。
【００５３】
本実施の形態１では、基準座標が、第１の領域指定テーブルＴ１における左上位置に設定されている場合を例に説明する。すなわち、第２のテーブル処理手段２Ｂは、領域５ａが基準座標８ａに対応し、領域５ｂが基準座標８ｂに対応し、領域５ｃが基準座標８ｃに対応し、領域５ｄが基準座標８ｄに対応する基準座標データを有している。集中コントローラ２ａの第２のテーブル処理手段２Ｂは、第１の空調機器データテーブルＴ２のアイコン７ａ〜７ｌの座標データから、第１の領域指定テーブルＴ１の基準座標データに基づいて、全体マップＭの平面座標データをフロアマップＦＭの平面座標データに変換している。
【００５４】
［空気調和システム１の制御フローについて］
図９は、本実施の形態１に係る空気調和システム１の制御フローチャートである。図９を参照して空気調和システム１における集中管理装置３側から集中コントローラ２側にデータを出力し、集中管理装置３及び集中コントローラ２のデータの共有化を図る動作について説明する。
【００５５】
（ステップＳＴ１）
全体マップ作成手段３Ｄは、第１の情報入力手段３Ａのデータに基づいて、空調機器７Ａ〜空調機器７Ｘに対応するアイコン７ａ〜アイコン７ｘを全体マップＭ上に配置する。そして、第１の表示手段３Ｆは、アイコン７ａ〜アイコン７ｘが配置された全体マップＭを表示する。
【００５６】
（ステップＳＴ２）
第１の表示手段３Ｆは、次のステップに移行してよいかを表示する。
管理者などが次のステップに移行すると設定した場合には、ステップＳＴ３に移行する。
管理者などが次のステップに移行しない設定した場合には、第１の表示手段３Ｆは、たとえば空調機器７の位置データなどの入力画面を表示する。そして、ステップＳＴ１に戻る。
【００５７】
（ステップＳＴ３）
第１のテーブル処理手段３Ｂは、全体マップ作成手段３Ｄの出力に基づいて第１の領域指定テーブルＴ１及び第１の空調機器データテーブルＴ２を作成する。なお、第１のテーブル処理手段３Ｂは、第１の情報入力手段３Ａの出力がなく、データの更新がされなかった場合には、データベース３Ｅから、最新の第１の領域指定テーブルＴ１及び第１の空調機器データテーブルＴ２のデータを引き出す。
【００５８】
（ステップＳＴ４）
第１の伝送手段３Ｃは、第１のテーブル処理手段３Ｂから出力された第１の領域指定テーブルＴ１及び第１の空調機器データテーブルＴ２を集中コントローラ２に出力する。
【００５９】
（ステップＳＴ５）
第２のテーブル処理手段２Ｂは、第１の伝送手段３Ｃ及び第２の伝送手段２Ｃを介して取得した第１の領域指定テーブルＴ１及び第１の空調機器データテーブルＴ２に基づいて、全体マップＭの平面座標データをフロアマップＦＭの平面座標データに変換する。
【００６０】
（ステップＳＴ６）
第２のテーブル処理手段２Ｂは、第１の領域指定テーブルＴ１及び第１の空調機器データテーブルＴ２と、ステップＳＴ５で変換したフロアマップＦＭの平面座標データとに基づいて第１の座標変換テーブルＴ３を作成する。
【００６１】
（ステップＳＴ７）
集中コントローラ２ａのフロアマップ作成手段２Ｄは、第２のテーブル処理手段２Ｂから出力された第１の座標変換テーブルＴ３に基づいて、空調機器７Ａ〜空調機器７Ｌに対応するアイコン７ａ〜アイコン７ｌをフロアマップＦＭ上に配置する。集中コントローラ２ａの第２の表示手段２Ｆは、アイコン７ａ〜アイコン７ｌが配置されたフロアマップＦＭを表示する。
【００６２】
集中コントローラ２ｂのフロアマップ作成手段２Ｄは、第２のテーブル処理手段２Ｂから出力された第１の座標変換テーブルＴ３に基づいて、空調機器７Ｍ〜空調機器７Ｘに対応するアイコン７ｍ〜アイコン７ｘをフロアマップＦＭ上に配置する。集中コントローラ２ｂの第２の表示手段２Ｆは、アイコン７ａ〜アイコン７ｌが配置されたフロアマップＦＭを表示する。
【００６３】
［実施の形態１に係る空気調和システム１の有する効果］
本実施の形態１に係る空気調和システム１は、集中管理装置３が第１の領域指定テーブルＴ１及び第１の空調機器データテーブルＴ２を作成し、集中コントローラ２が第１の座標変換テーブルＴ３を作成するものであり、全体マップＭの平面座標データをフロアマップＦＭの平面座標データに変換することができる。具体的には、空気調和システム１は、第１の空調機器データテーブルＴ２の空調機器７Ａ〜７Ｘのアイコン７ａ〜７ｃの座標から、第１の領域指定テーブルＴ１の基準座標８ａ〜８ｄを減算することで、全体マップＭの平面座標データをフロアマップＦＭの平面座標データに変換することができる。このように、本実施の形態１に係る空気調和システム１は、集中管理装置３の座標データを集中コントローラ２の座標データに変換することができ、座標データの共有化が図られており、集中管理装置３及び集中コントローラ２について個別に座標データの設定をする必要がない分、利便性が向上し、メンテナンス性が向上している。
【００６４】
本実施の形態１に係る空気調和システム１では、全体マップＭが４つの領域５ａ〜領域５ｄを有する場合を例に説明したが、それに限定されるものではなく、２つ以上の領域を有していればよい。
【００６５】
本実施の形態１に係る空気調和システム１では、空調機器７Ａ〜７Ｘが空気調和装置の室内機及び換気装置のいずれかであるものとして説明したが、それに限定されるものではない。たとえば、空調機器７Ａ〜７Ｘが全て空気調和装置の室内機でもよいし、空調機器７Ａ〜７Ｘが全て換気装置でもよい。また、空調機器７Ａ〜７Ｘは、たとえばショーケース、冷蔵庫などの冷凍装置であってもよい。
【００６６】
本実施の形態１では、１つの建物ＢＬ内の空調機器７Ａ〜７Ｘを統括制御する構成例について説明したが、それに限定されるものではない。たとえば、所定の箇所に設置された集中管理装置によって、複数の建物の空調機器を制御する構成であってもよい。
【００６７】
実施の形態２．
図１０Ａ及び図１０Ｂは、本実施の形態２に係る空気調和システム１の各集中コントローラ２におけるフロアマップＦＭ及びフロアマップＦＭ上のアイコン１６ａ〜アイコン１６ｘの説明図である。なお、図１０Ａが集中コントローラ２ａのフロアマップＦＭであり、図１０Ｂが集中コントローラ２ｂのフロアマップＦＭである。本実施の形態２では、実施の形態１と共通する構成については同一符号を付して説明し、相違点について中心に説明する。
実施の形態１では、集中管理装置３から集中コントローラ２へデータ（テーブル）を出力し、全体マップＭの領域５ａ〜領域５ｄを分割してフロアマップＦＭに変換するものであった。一方、本実施の形態２では、集中コントローラ２から集中管理装置３へデータ（テーブル）を出力し、各フロアマップＦＭを結合して全体マップＭに変換する。
【００６８】
図１０Ａに示すように、集中コントローラ２ａは、フロアＦＬ１及びフロアＦＬ２の全体の座標を示すフロアマップＦＭを有しているものである。同様に、図１０Ｂに示すように、集中コントローラ２ｂは、フロアＦＬ３及びフロアＦＬ４の全体の座標を示すフロアマップＦＭを有しているものである。
【００６９】
［テーブルの説明など］
図１１Ａ及び図１１Ｂは、本実施の形態２に係る空気調和システム１の集中管理装置３におけるフロア範囲を設定するときのテーブルである。図１２Ａ及び図１２Ｂは、本実施の形態２に係る空気調和システム１の集中コントローラ２における空調機器７Ａ〜７Ｘのアイコン１６ａ〜１６ｘの座標などを示すテーブルである。
【００７０】
集中管理装置３の第１のテーブル処理手段３Ｂは、フロアＦＬ１に対応するフロアマップＦＭ上の座標範囲（図１０の符号１２ａ〜１５ａで囲まれる範囲）と、フロアＦＬ１に対応する座標範囲である領域５ａとが対応づけられ、フロアＦＬ２に対応するフロアマップＦＭ上の座標範囲（図１０の符号１２ｂ〜１５ｂで囲まれる範囲）と、フロアＦＬ２に対応する座標範囲である領域５ｂとが対応づけられている第２の領域指定テーブルＵ１を作成する。集中管理装置３は、管理者などから、領域５ａ及び領域５ｂの範囲がどこまでであるかのデータを受け付けると、その受け付けたデータをもとに第２の領域指定テーブルＵ１を作成する。
同様にして、第１のテーブル処理手段３Ｂは、フロアＦＬ３及びフロアＦＬ４に関する第２の領域指定テーブルＵ１も作成する。
【００７１】
先に説明した図１０Ａでは、空調機器７Ａ〜７Ｌに対応するアイコン１６ａ〜１６ｌと、領域５ａ〜領域５ｄとが配置されたフロアマップＦＭが、第２の表示手段２Ｆに表示されている様子を模式的に示している。
【００７２】
集中コントローラ２ａは、フロアＦＬ１の座標範囲に対応する領域５ａのデータと、フロアＦＬ２の座標範囲に対応する領域５ｂのデータとを包含する第２の空調機器データテーブルＵ２を作成することができるものである。具体的には、第２の空調機器データテーブルＵ２は、図１２Ａに示すように、領域５ａ及び領域５ｂに対応する集中コントローラ２が集中コントローラ２ａであるか或いは集中コントローラ２ｂであるかを示すデータ、領域５ａ及び領域５ｂに対応する空調機器７が空気調和装置の室内機であるか或いは換気装置であるかを示すデータ、及び、空調機器７のアイコン１６ａ〜１６ｘの種類のデータ、空調機器７の座標のデータなどから構成されている。
なお、図１２Ａ及び図１２Ｂでは記載を省略しているが、第２の空調機器データテーブルＵ２の空調機器７の座標のデータは、図６に示す集中管理装置３のアイコン座標と同様に、Ｙ座標及びＸ座標のデータを有する。また、集中コントローラ２ｂについても、図１２Ｂに示す第２の領域指定テーブルＵ１を作成するものであり、集中コントローラ２ａと同様の構成及び動作をする。
【００７３】
図１３は、本実施の形態２に係る空気調和システム１が有する一致する座標を示すテーブルである。集中管理装置３は、図１３に示す接触座標データテーブルＵ４を有している。接触座標データテーブルＵ４は、全体マップＭを作成する際に、隣接する一方のフロアマップＦＭのどの座標が他方のフロアマップＦＭのどの座標と一致するかを示すテーブルである。たとえば、全体マップＭでは、フロアＦＬ１に対応するフロアマップＦＭの右端とフロアＦＬ２に対応するフロアマップＦＭの左端とが一致する（図４参照）。このため、接触座標データテーブルＵ４は、フロアＦＬ１の右上位置（座標１３ａ）がフロアＦＬ２の座標１２ｂと一致し、フロアＦＬ１の右下位置（座標１５ａ）がフロアＦＬ２の座標１４ｂと一致するように設定されている。
【００７４】
接触座標データテーブルＵ４の作成は、たとえば、管理者などが第１の情報入力手段３Ａを介して行うことができる。
【００７５】
［集中コントローラ２について］
第２のテーブル処理手段２Ｂは、第２の伝送手段２Ｃに、第２の空調機器データテーブルＵ２のデータを出力するものである。そして、この出力されたデータは、集中管理装置３に送られる。
【００７６】
フロアマップ作成手段２Ｄは、第２のテーブル処理手段２Ｂから出力される第２の空調機器データテーブルＵ２、又は記憶部２Ｅに格納されているテーブルに基づいてフロアマップＦＭを作成する。フロアマップ作成手段２Ｄは、フロアマップＦＭの作成にあたって、第２の情報入力手段２Ａからのデータ（第２の空調機器データテーブルＵ２）で作成することもできるし、実施の形態１で説明した第１の座標変換テーブルＴ３で作成することもできる。
【００７７】
たとえば、集中コントローラ２ａのフロアマップ作成手段２Ｄは、平面のマップであるフロアマップＦＭの座標上の領域５ａ及び領域５ｂの範囲を示し、また、フロアマップＦＭの座標上にフロアＦＬ１及びフロアＦＬ２の空調機器７Ａ〜空調機器７Ｌに対応するアイコン１６ａ〜１６ｌを配置する。フロアマップ作成手段２Ｄは、作成したフロアマップＦＭのデータを第２の表示手段２Ｆに出力する。また、フロアマップ作成手段２Ｄは、空調機器７Ａ〜空調機器７Ｌに対応するアイコン１６ａ〜１６ｌに、空調機器７Ａ〜空調機器７Ｌの運転状態（運転、停止、暖房運転、冷房運転、異常発生の有無など）なども示す。
【００７８】
［集中管理装置３について］
図１４は、本実施の形態２に係る空気調和システム１の集中管理装置３が実施する演算を説明するテーブルである。第１のテーブル処理手段３Ｂは、第１の情報入力手段３Ａを介して取得した第２の空調機器データテーブルＵ２と、自らが有している第２の領域指定テーブルＵ１及び接触座標データテーブルＵ４とに基づいて、第２の座標変換テーブルＵ３を作成するものである。なお、第１のテーブル処理手段３Ｂは、作成した第２の座標変換テーブルＵ３のデータをデータベース３Ｅに格納する。
【００７９】
第２の座標変換テーブルＵ３は、図１４の右端の部分に示すように、第２の領域指定テーブルＵ１の基準座標と第２の空調機器データテーブルＵ２のアイコン１６ａ〜１６ｌの座標とを加算するとともに、その加算した座標から、基準となるフロアＦＬ１の左上位置の原点座標（座標１２ａ）を減算して算出される変換座標のデータを有する変換データＵ３１を備えている。
すなわち、集中管理装置３の第１のテーブル処理手段３Ｂは、第２の領域指定テーブルＵ１、第２の空調機器データテーブルＵ２及び接触座標データテーブルＵ４に基づいて、フロアマップＦＭの平面座標データを全体マップＭの平面座標データに変換している。
ここでは、便宜上、フロアＦＬ１〜フロアＦＬ４のうち、フロアＦＬ１を基準となる分割フロアと設定し、そのフロアＦＬ１に対応する座標上に原点座標（座標１２ａ）が設定されている場合を例に説明している。
【００８０】
図１５は、本実施の形態２に係る空気調和システム１の制御フローチャートである。図１５を参照して空気調和システム１における集中コントローラ２側から集中管理装置３側にデータを出力し、集中管理装置３及び集中コントローラ２のデータの共有化を図る動作について説明する。
【００８１】
（ステップＳＴ１１）
フロアマップ作成手段２Ｄは、第２の情報入力手段２Ａからの出力に基づいて、空調機器７Ａ〜空調機器７Ｌに対応するアイコン１６ａ〜アイコン１６ｌをフロアマップＦＭ上に配置する。第２の表示手段２Ｆは、アイコン１６ａ〜アイコン１６ｌが配置されたフロアマップＦＭを表示する。
【００８２】
（ステップＳＴ１２）
第２の表示手段２Ｆは、次のステップに移行してよいかを表示する。
管理者などが次のステップに移行する設定した場合には、ステップＳＴ１３に移行する。
管理者などが次のステップに移行しないと設定した場合には、第２の表示手段２Ｆは、たとえば空調機器７の位置データなどの入力画面を表示する。そして、ステップＳＴ１１に戻る。
【００８３】
（ステップＳＴ１３）
第２のテーブル処理手段２Ｂは、フロアマップ作成手段２Ｄの出力に基づいて第２の空調機器データテーブルＵ２を作成する。なお、第２のテーブル処理手段２Ｂは、第２の情報入力手段２Ａの出力がなく、データの更新がされなかった場合には、記憶部２Ｅから、最新の第２の空調機器データテーブルＵ２のデータを引き出す。
【００８４】
（ステップＳＴ１４）
第２の伝送手段２Ｃは、第２のテーブル処理手段２Ｂから出力された第２の空調機器データテーブルＵ２を集中管理装置３に出力する。
【００８５】
（ステップＳＴ１５）
第１のテーブル処理手段３Ｂは、第２の伝送手段２Ｃ及び第１の伝送手段３Ｃを介して取得した第２の空調機器データテーブルＵ２と、自らが有する第２の領域指定テーブルＵ１及び接触座標データテーブルＵ４とに基づいて、フロアマップＦＭの平面座標データを全体マップＭの平面座標データに変換する。
【００８６】
（ステップＳＴ１６）
第１のテーブル処理手段３Ｂは、第２の領域指定テーブルＵ１及び第２の空調機器データテーブルＵ２と、ステップＳＴ１５で変換したデータとに基づいて第２の座標変換テーブルＵ３を作成する。
【００８７】
（ステップＳＴ１７）
全体マップ作成手段３Ｄは、第１のテーブル処理手段３Ｂの第２の座標変換テーブルＵ３に基づいて、全体マップＭを作成する。第１の表示手段３Ｆは、アイコンが配置された全体マップＭを表示する。
【００８８】
［実施の形態２に係る空気調和システム１の有する効果］
本実施の形態２に係る空気調和システム１は、実施の形態１に係る空気調和システム１と同様の効果を有する。
【００８９】
なお、実施の形態１、２では、集中管理装置３が、第１の情報入力手段３Ａ、第１のテーブル処理手段３Ｂ、第１の伝送手段３Ｃ、全体マップ作成手段３Ｄ、データベース３Ｅ及び第１の表示手段３Ｆを有し、集中コントローラ２が第２の情報入力手段２Ａ、第２のテーブル処理手段２Ｂ、第２の伝送手段２Ｃ、フロアマップ作成手段２Ｄ、記憶部２Ｅ、及び第２の表示手段２Ｆを有するものとして説明したが、それに限定されるものではない。
たとえば、集中管理装置３が、第１の情報入力手段３Ａ、第１のテーブル処理手段３Ｂ、第１の伝送手段３Ｃ、全体マップ作成手段３Ｄ、データベース３Ｅ、第１の表示手段３Ｆ、第２のテーブル処理手段２Ｂ及びフロアマップ作成手段２Ｄを有していてもよい。そして、集中コントローラ２が、第２の情報入力手段２Ａ、第２の伝送手段２Ｃ及び第２の表示手段２Ｆを有するものであってもよい。この構成では、集中コントローラ２は、フロアマップＦＭ及び各種テーブルの作成をせず、入力を受けつける機能、フロアマップを表示する機能といったような、機能を有するに留まる。集中管理装置３が、マップ及びテーブルの作成といった機能を有する。
【符号の説明】
【００９０】
１  空気調和システム、２  集中コントローラ、２Ａ  第２の情報入力手段、２Ｂ  第２のテーブル処理手段、２Ｃ  第２の伝送手段、２Ｄ  フロアマップ作成手段、２Ｅ  記憶部、２Ｆ  第２の表示手段、２ａ  集中コントローラ、２ｂ  集中コントローラ、３  集中管理装置、３Ａ  第１の情報入力手段、３Ｂ  第１のテーブル処理手段、３Ｃ  第１の伝送手段、３Ｄ  全体マップ作成手段、３Ｅ  データベース、３Ｆ  第１の表示手段、５ａ〜５ｄ  領域、７  空調機器、７Ａ〜７Ｘ  空調機器、７ａ〜７ｘ  アイコン、８ａ〜８ｄ  基準座標、１６ａ〜１６ｘ  アイコン、５０  圧縮機、５１  利用側熱交換器、５１Ａ  送風機、５１Ａ１  吸込口、５１Ａ２  吹出口、５２  絞り装置、５３  熱源側熱交換器、５３Ａ  送風機、５５  ドレンパン、５８  筐体、５９  四方弁、１００Ａ  室外機、１００Ｂ  室外機、ＢＬ  建物、Ｃ  冷媒回路、ＦＬ１〜ＦＬ４  フロア、ＦＭ  フロアマップ、Ｍ  全体マップ、ＭＲ  管理人室、Ｐ  冷媒配管、Ｔ１  第１の領域指定テーブル、Ｔ２  第１の空調機器データテーブル、Ｔ３  第１の座標変換テーブル、Ｔ３１  変換データ、Ｕ１  第２の領域指定テーブル、Ｕ２  第２の空調機器データテーブル、Ｕ３  第２の座標変換テーブル、Ｕ３１  変換データ、Ｕ４  接触座標データテーブル。
【図１Ａ】
2015145653.tif 000003
【図１Ｂ】
2015145653.tif 000004
【図２】
2015145653.tif 000005
【図３】
2015145653.tif 000006
【図４】
2015145653.tif 000007
【図５】
2015145653.tif 000008
【図６】
2015145653.tif 000009
【図７】
2015145653.tif 000010
【図８】
2015145653.tif 000011
【図９】
2015145653.tif 000012
【図１０Ａ】
2015145653.tif 000013
【図１０Ｂ】
2015145653.tif 000014
【図１１Ａ】
2015145653.tif 000015
【図１１Ｂ】
2015145653.tif 000016
【図１２Ａ】
2015145653.tif 000017
【図１２Ｂ】
2015145653.tif 000018
【図１３】
2015145653.tif 000019
【図１４】
2015145653.tif 000020
【図１５】
2015145653.tif 000021
【手続補正書】
【提出日】平成28年4月27日(2016.4.27)
【手続補正１】
【補正対象書類名】明細書
【補正対象項目名】０００９
【補正方法】変更
【補正の内容】
【０００９】
本発明に係る空気調和システムは、複数の分割フロアにそれぞれ設置された空調機器を制御する集中コントローラと、集中コントローラを管理する集中管理装置とを有し、集中管理装置は、複数の分割フロアを有する全体フロア内の空調機器の座標を示す全体マップを作成する全体マップ作成手段と、全体マップ及び全体マップ上の複数の領域を示す第１の領域指定テーブルと領域上の空調機器の座標を示す第１の空調機器データテーブルとを作成する第１のテーブル処理手段と、を有し、集中コントローラは、集中管理装置側で作成された第１の領域指定テーブル及び第１の空調機器データテーブルに基づいて、領域上の空調機器の座標を、分割フロアの空調機器の座標に変換する第２のテーブル処理手段と、第２のテーブル処理手段の出力に基づいて、分割フロアの空調機器の座標を示すフロアマップを作成するフロアマップ作成手段とを有するものである。
【手続補正２】
【補正対象書類名】特許請求の範囲
【補正対象項目名】全文
【補正方法】変更
【補正の内容】
【特許請求の範囲】
【請求項１】
複数の分割フロアにそれぞれ設置された空調機器を制御する集中コントローラと、
前記集中コントローラを管理する集中管理装置とを有し、
前記集中管理装置は、
複数の前記分割フロアを有する全体フロア内の前記空調機器の座標を示す全体マップを作成する全体マップ作成手段と、
前記全体マップ及び前記全体マップ上の複数の領域を示す第１の領域指定テーブルと前記領域上の前記空調機器の座標を示す第１の空調機器データテーブルとを作成する第１のテーブル処理手段と、
を有し、
前記集中コントローラは、
前記集中管理装置側で作成された前記第１の領域指定テーブル及び前記第１の空調機器データテーブルに基づいて、前記領域上の前記空調機器の座標を、前記分割フロアの空調機器の座標に変換する第２のテーブル処理手段と、
前記第２のテーブル処理手段の出力に基づいて、前記分割フロアの前記空調機器の座標を示すフロアマップを作成するフロアマップ作成手段とを有する
空気調和システム。
【請求項２】
前記第２のテーブル処理手段は、
前記第１の領域指定テーブルから前記領域ごとに基準座標を決定し、
前記第１の空調機器データテーブルの前記領域上の前記空調機器の座標から前記基準座標を減算した変換座標を示す第１の座標変換テーブルを作成する
請求項１に記載の空気調和システム。
【請求項３】
複数の分割フロアにそれぞれ設置された空調機器を制御する集中コントローラと、
前記集中コントローラを管理する集中管理装置とを有し、
前記集中コントローラは、
前記分割フロアの前記空調機器の座標を示すフロアマップを作成するフロアマップ作成手段と、
前記フロアマップ上の前記空調機器の座標を示す第２の空調機器データテーブルとを作成する第２のテーブル処理手段と、
を有し、
前記集中管理装置は、
前記フロアマップ上の複数の領域を示す第２の領域指定テーブルと複数の前記領域の座標のうち接触する座標を示す接触座標データテーブルとを作成する第１のテーブル処理手段と、
前記第１のテーブル処理手段の出力に基づいて、前記全体フロアの前記空調機器の座標を示す全体マップを作成する全体マップ作成手段とを有し、
前記第１のテーブル処理手段は、
前記第２の領域指定テーブル、前記第２の空調機器データテーブル及び前記接触座標データテーブルに基づいて、複数の前記領域上の前記空調機器の座標を結合し、複数の前記分割フロアを有する全体フロアの前記空調機器の座標に変換する
空気調和システム。
【請求項４】
前記第１のテーブル処理手段は、
前記第２の座標変換テーブルから前記領域ごとの基準座標及び複数の前記領域の原点座標を決定し、
前記第２の空調機器データテーブルの前記領域上の前記空調機器の座標に、前記基準座標を加算するとともに前記原点座標を減算した変換座標を示す第２の座標変換テーブルを作成する
請求項３に記載の空気調和システム。
【請求項５】
前記全体マップ作成手段は、
前記全体マップの座標上に前記空調機器の座標を示すアイコンを配置する
請求項２又は４に記載の空気調和システム。
【国際調査報告】
2015145653.tif 000022
2015145653.tif 000023
2015145653.tif 000024
2015145653.tif 000025